(57)【要約】【課題】簡単に取り付けることができ、扉の開閉と同時に適切な抵抗力を提供して扉の開閉の力を緩衝できる扉内に隠されたフロアヒンジを提供する。【解決手段】底縁に収容凹所１４を有する扉１２に取り付けられるフロアヒンジ１０であって、床面に固定するために用いられるベース部２０と、本体３０と、回転軸と、ダンパユニットと、を備える。本体３０は、扉１２の収容凹所１４内に固定するために用いられ、油圧オイルを貯蔵する油だめおよび油だめに垂直に連絡する軸孔を有する。回転軸は、本体３０の軸孔内に回転自在に設けられ、一端が軸孔から突出する軸棒および軸棒に設けられる偏心カムを有し、ベース部２０に連結する。ダンパユニットは、油だめ内に設けられ、回転軸の偏心カムに当接することで、偏心カムの付勢を受けて油圧オイルを押出して扉の開閉抵抗力を発生させる。【選択図】  図１
0003179619.tif 000002
【実用新案登録請求の範囲】
【請求項１】
底縁に収容凹所を有する扉に取り付けられるフロアヒンジであって、
床面に固定するために用いられるベース部と、
前記扉の前記収容凹所内に固定するために用いられ、油圧オイルを貯蔵する油だめおよび前記油だめに垂直に連絡する軸孔を有する本体と、
前記本体の前記軸孔内に回転自在に設けられ、一端が前記軸孔から突出する軸棒および前記軸棒に設けられる偏心カムを有し、前記ベース部に連結する回転軸と、
前記本体の前記油だめ内に設けられ、前記回転軸の前記偏心カムに当接することで、前記偏心カムの付勢を受けて油圧オイルを押出して前記扉の開閉抵抗力を発生させるダンパユニットと、
を備えることを特徴とするフロアヒンジ。
【請求項２】
前記ベース部は、
凹溝を有し、前記凹溝と連絡する複数のネジ穴が当該凹溝の周縁に開設される固定板と、
前記固定板の前記凹溝内に設けられ、前記回転軸の前記軸棒に連結する調整板と、
前記複数のネジ穴内に各々設けられ、且つ、前記調整板に当たり、前記調整板の前記固定板に対応する位置の調整に用いられる複数の調整ネジと、
を有することを特徴とする請求項１に記載のフロアヒンジ。
【請求項３】
前記固定板の前記凹溝および前記調整板は、いずれも矩形であり、
前記調整板のサイズは、前記固定板の凹溝のサイズより小さいことを特徴とする請求項２に記載のフロアヒンジ。
【請求項４】
前記ベース部は、前記固定板の両端に各々接合する２つの端板を更に備えることを特徴とする請求項２に記載のフロアヒンジ。
【請求項５】
前記固定板は、相互に螺合する複数の固定ネジ、及び、スリーブで前記床面に固定されることを特徴とする請求項２に記載のフロアヒンジ。
【請求項６】
前記固定板は、嵌合穴を備え、
前記回転軸の前記軸棒は、前記嵌合穴内に嵌設するために用いられる嵌合端を有することを特徴とする請求項２に記載のフロアヒンジ。
【請求項７】
前記ダンパユニットは、
前記回転軸の前記軸棒の挿通に供する長溝孔を有するピストンと、
前記ピストンに設けられ、前記回転軸の前記偏心カムに当接するマウントブロックと、
一端が前記ピストンに当接する弾性部材と、
を有することを特徴とする請求項１に記載のフロアヒンジ。
【請求項８】
前記ダンパユニットは、前記ピストンの油抜き穴内に取り付けられる圧力逃がし弁を更に備えることを特徴とする請求項７に記載のフロアヒンジ。
【請求項９】
油量調整弁を更に備え、
前記ダンパユニットは、前記本体の前記油だめに収容設置され、
前記油だめは、
前記軸孔に連絡するチャンバと、
前記チャンバに連絡する導油路と、
前記チャンバ、及び、前記導油路に連絡し、前記油量調整弁が設置される弁孔と、
を有することを特徴とする請求項１に記載のフロアヒンジ。
【請求項１０】
前記本体は、２つの頂板により前記扉の前記収容凹所内に締め付けられることを特徴とする請求項１に記載のフロアヒンジ。
【考案の詳細な説明】
【技術分野】
【０００１】
本考案は、フロアヒンジに関し、特に、扉内に隠されたフロアヒンジに関する。
【背景技術】
【０００２】
一般的なヒンジを扉に取り付けた時、扉が一定の重量を有するため、一定時間使用した後、ヒンジ回転軸の箇所に徐々に不安定な状況が現れることにより、扉の沈下現象が生じ始めることがある。このような状況では、扉の開閉過程において、扉が床面に接触しやすく、著しい場合、更に破損という状況が起きてしまう可能性もある。よって、現在大半の扉ではフロアヒンジで扉の開閉機能を提供している。
【０００３】
しかしながらフロアヒンジについて言うと、故障率が低く、支持重量が大きいという長所を有し、また、開く角度及び自動復帰速度を調整できる。しかしながら、フロアヒンジを取り付ける場合、事前にフロアヒンジの寸法に従い床面に一箇所の凹溝を掘り、次に、フロアヒンジを凹溝内に埋め込んで固定した後、通常更に一日、二日待ってから扉を取り付けることになるため、一般的に、フロアヒンジの取り付けにおいて、実際非常に時間と手間がかかる。また、雨天となった場合、凹溝内が容易に溜水状況に陥るため、フロアヒンジが容易に錆びるという問題が起きてしまう。
【先行技術文献】
【特許文献】
【０００４】
【特許文献１】特開２００３−３４３１５１号公報
【考案の概要】
【考案が解決しようとする課題】
【０００５】
本考案の主要な目的は、簡単に取り付けることができ、扉の開閉と同時に適切な抵抗力を提供して扉の開閉の力を緩衝できる扉内に隠されたフロアヒンジを提供することである。
【課題を解決するための手段】
【０００６】
上述の目的を達成するため、本考案のフロアヒンジは、ベース部と、本体と、回転軸と、ダンパユニットと、を備える。ベース部は、床面に固定するために用いられる。本体は、扉の収容凹所内に固定するために用いられ、油圧オイルを貯蔵する油だめおよび油だめに垂直連絡する軸孔を有する。回転軸は、本体の軸孔内に回転自在に設けられ、一端が軸孔から突出する軸棒および軸棒に設けられる偏心カムを有し、ベース部に連結する。これにより、本体が扉の開閉動作に伴って回される。ダンパユニットは、本体の油だめ内に設けられ、且つ回転軸の偏心カムに当接することで、偏心カムの付勢を受けて油圧オイルを押出して扉の開閉抵抗力を発生させる。これにより、本考案のフロアヒンジは、本体を扉の収容凹所内に固定するため、床面を掘る必要がなく、取り付け過程が非常に簡単且つ便利である。また、使用時にも適切な油圧抵抗力を提供して扉開閉の力を緩衝できる。
【０００７】
本考案が提供するフロアヒンジにおいて、ベース部は、固定板と、調整板と、調整ネジと、を有する。固定板は、凹溝を有し、凹溝と連絡する複数のネジ穴が当該凹溝の周縁に開設される。調整板は、固定板の凹溝内に設けられ、回転軸の軸棒に連結する。調整ネジは、複数のネジ穴内に各々設けられ、且つ、調整板に当たる。これにより、調整板は、複数の調整ネジに当接することにより固定板に対応して偏心回転、前後移動又は左右移動できるので、扉の偏位の調整に用いられ、扉を完全に開閉させることができるように偏位の問題を解決する。
【図面の簡単な説明】
【０００８】
【図１】本考案の一実施形態によるフロアヒンジを示す斜視図である。
【図２】本考案の一実施形態によるフロアヒンジを示す分解斜視図である。
【図３】本考案の一実施形態によるフロアヒンジの本体及びダンパユニットの分解斜視図である。
【図４】本考案の一実施形態によるフロアヒンジの本体及びダンパユニットの断面図である。
【図５Ａ】本考案の一実施形態によるフロアヒンジにおいて偏位調整を行う状態を説明するベース部の底面図である。
【図５Ｂ】本考案の一実施形態によるフロアヒンジにおいて偏位調整を行う状態を説明するベース部の底面図である。
【図５Ｃ】本考案の一実施形態によるフロアヒンジにおいて偏位調整を行う状態を説明するベース部の底面図である。
【考案を実施するための形態】
【０００９】
以下、本考案の構造、特徴及び効果を更に明確に分かりやすくするため、実施形態を添付図面に基づいて説明する。
（一実施形態）
本考案の好ましい一実施形態について図１を参照しながら説明する。図１に示すように、フロアヒンジ１０は、例えば金属製ドア或いは中実の木製ドアのような各種扉１２に適用でき、扉１２の種類は特に制限されない。扉１２の底縁には、本実施形態のフロアヒンジ１０を取り付ける収容凹所１４を有する。次に図２及び図３に示すように、フロアヒンジ１０は、ベース部２０と、本体３０と、回転軸４０と、ダンパユニット５０と、を備える。
【００１０】
ベース部２０は、固定板２１と、調整板２２と、複数の調整ネジ２３、２４と、２つの端板２５と、を有する。固定板２１は、中央に凹溝としての矩形凹溝２１２を有する。また矩形凹溝２１２の左右両側には、各々２個の開口部２１４が開設される。相互に螺合する複数本の固定ネジ２６及びスリーブ２７は、各開口部２１４を経由して床面に埋め込まれることにより、固定板２１を床面に固定させることができる。その他、固定板２１は、両対向の長手側に各々２個のネジ穴２１６を有し、各短手側に１個のネジ穴２１６を有する。各ネジ穴２１６と矩形凹溝２１２とは、相互に連絡する。調整板２２は、固定板２１の矩形凹溝２１２内に設けられる。また、調整板２２は、中央部に嵌合穴２２１を有する。調整板２２のサイズは、矩形凹溝２１２のサイズより小さく、調整板２２を矩形凹溝２１２内で可動させることができる。複数の調整ネジ２３、２４は、各々固定板２１のネジ穴２１６内に設けられ、調整板２２の周縁に当たる。調整板２２は、固定板２１に対応して偏心回転、前後移動或いは左右移動させることができる。２つの端板２５は、固定板２１の左右両端に接合しているが、実際のニーズに応じて設置しなくても良い。
【００１１】
本体３０は、図１に示すように、２つの頂板３２によって扉１２の収容凹所１４内に締め付けられている。図３及び図４に示すように、本体３０の内部には、油圧オイルを貯蔵する油だめ３４を有する。油だめ３４は、チャンバ３４２、導油路３４４及び弁孔３４６に区分され、導油路３４４がチャンバ３４２に連絡し、弁孔３４６がチャンバ３４２及び導油路３４４に連絡する。また、本体３０は、軸孔３４８を有する。軸孔３４８は、油だめ３４のチャンバ３４２に垂直に連絡する。この他、本体３０の両端に油だめ３４のチャンバ３４２を閉鎖するために用いられるエンドキャップ３６が各々詰められる。また、本体３０の弁孔３４６内には、油圧オイルの流量を調整するために用いられる油量調整弁３８が取り付けられる。
【００１２】
図３及び図４に示すように、回転軸４０は、両軸受４６により本体３０の軸孔３４８内に回転自在に設けられる。また、軸孔３４８は、密封カバー４８により密封される。回転軸４０は、軸棒４２と軸棒４２に設けられる偏心カム４４とを有する。軸棒４２が軸孔３４８から突出する嵌合端４２２を有し、また嵌合端４２２がベース部２０の調整板２２の嵌合穴２２１内に挿着されることで、回転軸４０と調整板２２とは同時に作動する。
【００１３】
図３及び図４に示すように、ダンパユニット５０は、本体３０の油だめ３４のチャンバ３４２内に収容設置される。また、ダンパユニット５０は、ピストン５１と、マウントブロック５２と、弾性部材５４と、を有する。ピストン５１は、回転軸４０の軸棒４２の挿通に用いられる長溝孔５１２を有する。ピストン５１の一端には油抜き穴５１４が形成され、油抜き穴５１４内には圧力逃がし弁５５が取り付けられている。マウントブロック５２は、インサートピン５３によりピストン５１に固定され、且つ回転軸４０の偏心カム４４に当接する。マウントブロック５２は、本体３０において扉１２に伴って回転したとき、回転軸４０の偏心カム４４の付勢を受けてピストン５１を押進できる。弾性部材５４の両端は、各々ピストン５１及び本体３０のいずれかのエンドキャップ３６を付勢し、ピストン５１の復帰力を提供するために用いられる。
【００１４】
以上は本実施形態のフロアヒンジ１０の詳細な手段である。以下、更に本実施形態の使用過程及び特徴について説明する。
【００１５】
扉１２を押し開けたとき、本体３０は、扉１２が開くのに伴い回転軸４０を回して回転する。このとき、ピストン５１は、回転軸４０の偏心カム４４の付勢を受けて油だめ３４のチャンバ３４２内で移動し、油圧オイルがピストン５１に押し出されてピストン５１の左端から導油路３４４及び油量調整弁３８を経由してピストン５１の右端に流れることができる。扉１２が閉まり始めると、ピストン５１は、弾性部材５４の付勢を受けて油圧オイルを押し出し、油圧オイルで圧力逃がし弁５５を押し開く。そして、油圧オイルは、油抜き穴５１４からチャンバ３４２内に流れ込み、且つ扉１２が完全に閉まるまでピストン５１の左端に向けって流動する。扉１２の閉まる速度を調整したい場合、油量調整弁３８により油量の大きさを調整できる。
【００１６】
その他、図５Ａ及び図５Ｂに示すように、扉１２を閉める際、完全に閉めることのできない状況に陥った場合、前後４本の調整ネジ２３が調整板２２の両長手側に当接することにより、調整板２２を凹溝２１２内で偏心回転または前後移動させる。これにより、回転軸４０及び本体３０により、扉１２の回転偏位或いは前後偏位を連帯して修正できる。また図５Ｃに示すように、別の２本の調整ネジ２４が調整板２２の両短手側に当接することにより、扉１２の左右偏位を修正できる。
【００１７】
以上をまとめると、本実施形態のフロアヒンジ１０は、取り付け時、ベース部２０が床面に固定され、且つ本体３０が扉１２内に隠される。更に回転軸４０により、ベース部２０及び本体３０に連結することで取り付けが完成する。これにより、床面を掘る必要が無いため、取り付け過程が非常に簡単で且つ便利で、また溜水による発錆問題を避けることができる。また、使用時には、ダンパユニット５０および油圧オイルの間で提供する油圧抵抗力を利用して扉開閉の力を緩衝できる。また、本実施形態のフロアヒンジ１０の取り付けを終えた後、扉１２の位置に対して更に微調整することで、扉１２を確実に閉めることができるので偏位問題を解決でき、目的を達成できることが分かる。
【符号の説明】
【００１８】
１０・・・・フロアヒンジ
１２・・・・扉
１４・・・・収容凹所
２０・・・・ベース部
２１・・・・固定板
２１２・・・凹溝
２１４・・・開口部
２１６・・・ネジ穴
２２・・・・調整板
２２１・・・嵌合穴
２３・・・・調整ネジ
２４・・・・調整ネジ
２５・・・・端板
２６・・・・固定ネジ
２７・・・・スリーブ
３０・・・・本体
３２・・・・頂板
３４・・・・油だめ
３４２・・・チャンバ
３４４・・・導油路
３４６・・・弁孔
３４８・・・軸孔
３６・・・・エンドキャップ
３８・・・・油量調整弁
４０・・・・回転軸
４２・・・・軸棒
４２２・・・嵌合端
４４・・・・偏心カム
４６・・・・軸受
４８・・・・密封カバー
５０・・・・ダンパユニット
５１・・・・ピストン
５１２・・・長溝孔
５１４・・・油抜き穴
５２・・・・マウントブロック
５３・・・・インサートピン
５４・・・・弾性部材
５５・・・・圧力逃がし弁
【図１】
0003179619.tif 000003
【図２】
0003179619.tif 000004
【図３】
0003179619.tif 000005
【図４】
0003179619.tif 000006
【図５Ａ】
0003179619.tif 000007
【図５Ｂ】
0003179619.tif 000008
【図５Ｃ】
0003179619.tif 000009